(57)【特許請求の範囲】
【請求項１】
携帯無線機の下部筐体の外側面に、タクトスイッチが設けられたフレキシブル基板を取付け、かつ前記フレキシブル基板を弾性材料により形成された防水部材により覆った状態で、固定部材により前記防水部材を固定することにより、前記タクトスイッチを防水すると共に、
前記固定部材の上側に、前記タクトスイッチを動作させるプレストークボタンを設け、
前記固定部材の両側に、トップカバーの内面形状に合わせた補強リブを突設し、
かつ前記トップカバーを前記下部筐体に取付けることにより、前記トップカバーにより前記固定部材を固定することを特徴とする、
携帯無線機におけるプレストークスイッチ装置の防水構造。
【発明の詳細な説明】
【０００１】
【発明の属する技術分野】
この発明は携帯無線機に設けられたプレストークスイッチ装置の防水構造に関する。
【０００２】
【従来の技術】
従来携帯無線機に設けられたプレストークスイッチ装置の防水構造としては、例えば実開平３−２２３３２号公報に記載されたものが公知である。
【０００３】
前記公報のプレストークスイッチ装置の防水構造は、図５に示すようにプレストークスイッチａが実装されたプリント基板ｂを収容した外筐体ｃに、プレストークレバーｄの一端が回動自在に枢着されており、プレストークレバーｄの他端側には、プレストークスイッチａの押釦部ｅと対向する面に凸部ｆが突設されている。
【０００４】
またプレストークスイッチａの押釦部ｅと凸部ｆの間には、外筐体ｃを凹入させることにより凹部ｇが形成されていて、この凹部ｇの中心に開口された貫通孔ｈ内にプレストークスイッチａの押釦部ｅが突出されていると共に、凹部ｇ内には筒状の本体部ｉと肉薄スカート部ｊ及びフランジ状外縁部ｋよりなる防水ゴムｍが圧入されていて、貫通孔ｈより外筐体ｃ内へ雨水などが浸入するのを防止している。
【０００５】
【発明が解決しようとする課題】
しかし従来のプレストークスイッチ装置の防水構造では、プレストークレバーｄを押圧すると、プレストークレバーｄより突設された凸部ｆが防水ゴムｍの筒状本体部を介してプレストークスイッチａの押釦部ｅを押す構造となっていることから、プレストークレバーｄに加わる押圧荷重のほとんどが、プレストークスイッチａの取付けられたプリント基板ｂにかかってしまう。
【０００６】
このためプリント基板ｂを必要以上に強固に固定する必要があることから、プリント基板ｂの固定個所が多くなって組立て性が低下すると共に、プリント基板ｂの取付け位置が悪いと、プレストークレバーｄを押圧した際、プレストークスイッチａが動作不良を起こすことがあるため、プリント基板ｂの取付け位置精度も要求されるなどの不具合がある。
【０００７】
この発明はかかる従来の不具合を改善するためになされたもので、プレストークレバーの押圧方向に対して強度が高く、かつプリント基板の取付け位置精度も余り必要としない携帯無線機におけるプレストークスイッチ装置の防水構造を提供して、組立て性の向上を図ることを目的とするものである。
【０００８】
【課題を解決するための手段】
前記目的を達成するため本発明は、携帯無線機の下部筐体の外側面に、タクトスイッチが設けられたフレキシブル基板を取付け、かつ前記フレキシブル基板を弾性材料により形成された防水部材により覆った状態で、固定部材により前記防水部材を固定することにより、前記タクトスイッチを防水すると共に、前記固定部材の上側に、前記タクトスイッチを動作させるプレストークボタンを設け、前記固定部材の両側に、トップカバーの内面形状に合わせた補強リブを突設し、かつ前記トップカバーを前記下部筐体に取付けることにより、前記トップカバーにより前記固定部材を固定するものである。
【０００９】
前記構成により、プレストークスイッチ装置を操作すべくプレストークボタンを押圧すると、防水部材が弾性変形して、タクトスイッチを動作させるので、通話が可能になると共に、プレストークボタンに加わる押圧荷重は固定部材が支持するため、プレストークボタンを強い力で押圧しても、弾性部材やタクトスイッチが破損することもない。
【００１５】
また、本発明は、前記構成により、下部筐体にトップカバーを取付ける際、固定部材より突設された補強リブがトップカバーをガイドするため、トップカバーの取付け作業が容易となると共に、トップカバーの取付け後は、補強リブがトップカバーの内側に密着するので、固定部材がガタつくこともない。
【００１６】
【発明の実施の形態】
この発明の実施の形態を図１ないし図４に示す図面を参照して詳述する。
【００１７】
図１は携帯無線機の分解斜視図、図２は図１のＡ方向からの矢視図、図３は図２のＢ方向からの矢視図、図４はプレストークスイッチ装置の組立て状態の断面図である。
【００１８】
携帯無線機の筐体１は、図示しない上部筐体と、下部筐体２より構成されている。
【００１９】
下部筐体２は上面が開口されていて、内部に電子部品が実装されたプリント基板（図示せず）が収容されており、外側面にプレストーク装置３が設けられている。
【００２０】
下部筐体２のプレストーク装置取付け面には、長円状の平坦面２ａが形成されていて、平坦面２ａの周囲に設けられた凹溝２ｂ内にゴムなどの弾性体よりなる防水部材４の周縁部４ｃが嵌合されるようになっている。
【００２１】
プレストーク装置３は、タクトスイッチ５ａが設けられたフレキシブル基板５と、このフレキシブル基板５を覆う防水部材４と、固定部材６及びプレストークボタン７とよりなり、筐体１の上面と両側面の一部を覆うトップカバー８により下部筐体２の外側面に取付けられている。
【００２２】
フレキシブル基板５は、上面の両端側にプレストーク用のタクトスイッチ５ａと、電源スイッチ５ｂが形成されており、下面側にはタクトスイッチ５ａ及び電源スイッチ５ｂと筐体１内のプリント基板を電気的に接続する配線部５ｃが延出されていて、配線部５ｃは下部筐体２の平坦面２ａに開口された長孔２ｃより下部筐体２内に挿入されるようになっていると共に、プリント基板５の両端側には、平坦面２ａの両端側に突設された位置決め突起２ｄに嵌合することにより、平坦面２ａに対してフレキシブル基板５を位置決めする位置決め孔５ｄが開口されている。
【００２３】
防水部材４は、下部筐体２の平坦面２ａとほぼ同形に形成されていて、両端側に角形状のボタン部４ａと円筒状のボタン部４ｂが形成され、周縁には平坦面２ａの周囲に設けられた凹溝２ｂに嵌合するリブ状の周縁部４ｃが突設されている。
【００２４】
角形状のボタン部４ａの下面には、フレキシブル基板５に設けられたタクトスイッチ５ａのほぼ中心部を押圧する突起４ｄが、タクトスイッチ５ａの上面に接しないよう突設されており、ボタン部５ａの上面中央には、プレストークボタン７の裏面に突設された突起７ｄが嵌合する凹部４ｅが形成されていると共に、円筒状のボタン部４ｂの下面には、フレキシブル基板５に設けられた電源スイッチ５ｂのほぼ中心部を押圧する突起４ｆが、電源スイッチ５ｂと接しないよう突設されている。
【００２５】
固定部材６は金属板をほぼＬ字形に折り曲げることにより形成されていて、防水部材４のボタン部４ａ，４ｂと合致する位置にボタン部４ａ，４ｂが突出する角孔状の開口部６ａ，６ｂが開口されており、両側縁には補強リブ６ｃが突設されている。
【００２６】
固定部材６の開口部６ａと開口部６ｂの間には、開口部６ｂに寄った位置に、下部筐体２の平坦面２ａに突設された一対の軸受け部２ｅが突出する長孔６ｄが開口されていると共に、開口部６ｂ側の端部には、下部筐体２の平坦面２ａ近傍に突設されたほぼＴ字形の係止突起２ｆに係止されるほぼＴ字形に係止孔６ｅが開口されている。
【００２７】
プレストークボタン７は樹脂などで一体成形されていて、一端側に下部筐体２の平坦面２ａ近傍に突設された軸受け部２ｅに回動自在に支承された軸ピン７ａが突設され、周囲にはトップカバー８の下面に下方より係合する係止片７ｂが突設されており、上面には滑り止め用の突条７ｃが複数条突設されている。
【００２８】
トップカバー８は、筐体１の上面と両側面の一部を覆えるようほぼコ字形に形成されていて、プレストークボタン７と合致する位置に、プレストークボタン７の上面が突出する長方形状の開口部８ａと、防水部材４のボタン部４ｂが突出する円形の開口部８ｂが開口されており、開放端部に形成された係止部８ｃを下部筐体２の両側面に形成された係止溝２ｇに係止することにより、下部筐体２に取付けられるようになっている。
【００２９】
次に前記のように構成された携帯無線機のプレストークスイッチ装置３の作用を説明する。
【００３０】
プレストークスイッチ装置３を組立てるに当たっては、下部筐体２よりトップカバー８を取外した状態で、まずフレキシブル基板５の配線部５ｃを平坦面２ａに開口された長孔２ｃより挿入し、この状態で位置決め孔５ｄを位置決め突起２ｄに嵌合して、平坦面２ａに対してフレキシブル基板５の位置決めを行う。
【００３１】
次にフレキシブル基板５を覆うように平坦面２ａに防水部材５を取付けて、防水部材４の周縁部４ｃを平坦面２ａの周囲に設けられた凹溝２ｂに圧入したら、固定部材６の一端側に開口された係止孔６ｅを、下部筐体２の平坦面２ａ近傍に突設された係止突起２ｆに係合し、この状態で開口部６ａ，６ｂより防水部材４のボタン部４ａ，４ｂが突出するよう防水部材４の上面に固定部材６を取付ける。
【００３２】
次に固定部材６の長孔６ｄより突出した軸受け部２ｅにプレストークボタン７の軸ピン７ａを嵌合した状態で、下部筐体２の上方よりトップカバー８の開放端部を押し広げながらを挿入し、トップカバー８の開口部８ａよりプレストークボタン７を、そして開口部８ｂより防水部材４のボタン部４ｂを突出させた状態で、トップカバー８の開口端部に突設された係止部８ｃを下部筐体２両側の係止溝内２ｇ内に係合することにより、プレストークスイッチ装置３の組立てとトップカバー８の取付けを行うもので、下部筐体２にトップカバー８を取付ける際、固定部材６の補強リブ６ｃにトップカバー８をガイドさせることにより、トップカバー８の取付け作業が容易になると共に、固定部材６の補強リブ６ｃを予めトップカバー８の内面形状に合わせて形成しておくことにより、トップカバー８の取付け後、トップカバー８の内面に補強リブ６ｃが密着するため、固定部材６がガタつくこともない。
【００３３】
またプレストークスイッチ装置３の組立て状態では、図４に示すようにプレストークボタン７の周囲に突設された係止片７ｂがトップカバー８の下面に下方より係止されるので、トップカバー８の開口部８ａよりプレストークボタン７が抜け外れることがないと共に、タクトスイッチ５ａ及び電源スイッチ５ｂの設けられたフレキシブル基板５は防水部材４により覆われるので、雨水などがタクトスイッチ５ａや電源スイッチ５ｂ部分に浸入するのを確実に防止することができる。
【００３４】
一方携帯無線機の使用時プレストークボタン７を押圧すると、プレストークボタン７が軸ピン７ａを中心に回動しながら押し下げられ、これによってプレストークボタン７の下面に突設された突起７ｄが防水部材４のボタン部４ａを押圧するため、ボタン部４ａが下方へ弾性変形し、これによってボタン部４ａの下面に突設された突起がタクトスイッチ５ａを押圧してオンにするため、通話を行うことができる。
【００３５】
またトップカバー８の開口部８ｂより突出したボタン部４ｂを押圧すると、ボタン部４ｂが弾性変形して、ボタン部４ｂの下面に突設された突起４ｄが電源スイッチ５ｂを押すため、電源スイッチ５ｂのオン、オフを行うことができる。
【００３６】
なお前記実施の形態では、タクトスイッチ５ａと別に設けたスイッチを電源スイッチ５ｂとしたが、特に電源スイッチ５ｂに限定されないことは勿論である。
【００３７】
【発明の効果】
この発明は以上詳述したように、携帯無線機の下部筐体の外側面に、タクトスイッチが設けられたフレキシブル基板を取付け、かつ前記フレキシブル基板を弾性材料により形成された防水部材により覆った状態で、固定部材により前記防水部材を固定することにより、前記タクトスイッチを防水すると共に、前記固定部材の上側に、前記タクトスイッチを動作させるプレストークボタンを設け、前記固定部材の両側に、トップカバーの内面形状に合わせた補強リブを突設し、かつ前記トップカバーを前記下部筐体に取付けることにより、前記トップカバーにより前記固定部材を固定することから、プレストークスイッチ装置を操作すべくプレストークボタンを押圧すると、防水部材が弾性変形して、タクトスイッチを動作させるので、通話が可能になると共に、プレストークボタンに加わる押圧荷重は固定部材が支持するため、プレストークボタンを強い力で押圧しても、弾性部材やタクトスイッチが破損することもない。
【００４０】
しかも固定部材の両側に、トップカバーの内面形状に合わせた補強リブを突設し、かつ前記トップカバーを前記下部筐体に取付けることにより、前記トップカバーにより前記固定部材を固定したことから、下部筐体にトップカバーを取付ける際、固定部材より突設された補強リブがトップカバーをガイドするため、トップカバーの取付け作業が容易となると共に、トップカバーの取付け後は、補強リブがトップカバーの内側に密着するので、固定部材がガタつくこともない。
【図面の簡単な説明】
【図１】この発明の実施の形態になるプレストークスイッチ装置の防水構造を採用した携帯無線機の分解斜視図
【図２】図１のＡ方向からの矢視図
【図３】図２のＢ方向からの矢視図
【図４】この発明の実施の形態になる携帯無線機におけるプレストークスイッチ装置の防水構造を示す分解斜視図
【図５】従来のプレストークスイッチ装置の防水構造を示す説明図
【符号の説明】
１    筐体
２    下部筐体
２ａ  平面体
２ｂ  凹溝
２ｃ  長孔
２ｄ  位置決め突起
２ｅ  軸受け部
２ｆ  係止突起
２ｇ  係止溝
３    プレストークスイッチ装置
４    防水部材
４ａ，４ｂ  ボタン部
４ｃ  周縁部
４ｄ  突起
４ｅ  凹部
４ｆ  突起
５    フレキシブル基板
５ａ  タクトスイッチ
５ｂ  電源スイッチ
５ｃ  配線部
５ｄ  位置決め孔
６    固定部材
６ａ，６ｂ  開口部
６ｃ  補強リブ
６ｄ  長孔
６ｅ  係止孔
７    プレストークボタン
７ａ  軸ピン
７ｂ  係止片
７ｃ  滑り止め用突条
７ｄ  突起
８    トップカバー
８ａ，８ｂ  開口部
８ｃ  係止部
【図１】
0004361657.tif 000002
【図２】
0004361657.tif 000003
【図３】
0004361657.tif 000004
【図４】
0004361657.tif 000005
【図５】
0004361657.tif 000006